(57)【特許請求の範囲】
【請求項１】
空気圧手術器具と、
圧縮ガスを前記空気圧手術器具に与えるように動作可能な手術用コンソールと、
前記空気圧手術器具を前記手術用コンソールに結合させる可撓性空気圧駆動ラインであって、前記圧縮ガスを前記空気圧手術器具に供給するよう構成され、前記可撓性空気圧駆動ラインの長さに沿った不均一な断面を有する内部孔を有する、可撓性空気圧駆動ラインと、を備え、
前記手術用コンソールにおける前記可撓性空気圧駆動ラインの第１の端部が第１の外径及び第１の内径を有し、前記空気圧手術器具における前記可撓性空気圧駆動ラインの第２の端部が、前記第１の外径よりも小さい第２の外径と、前記第１の内径よりも小さい第２の内径とを有し、前記第１の端部と前記第２の端部との間の通路の直径が前記手術用コンソールから前記空気圧手術器具にかけて連続的に減少し、前記可撓性空気圧駆動ラインの第２の端部は、該可撓性空気圧駆動ラインが前記手術用コンソールにおいてよりも前記空気圧手術器具においてより高い可撓性を有するように、減少した大きさ及び質量を有する、システム。
【請求項２】
前記空気圧駆動ラインが、前記手術用コンソール上のポートに結合される近位端と、前記空気圧手術器具上のポートに結合される遠位端とを有し、
前記内部孔が、前記近位端から前記遠位端にかけてテーパー状をなす、請求項１に記載のシステム。
【請求項３】
前記空気圧駆動ラインは、第１の区分と、第２の区分とを備え、前記第１の区分が第１の直径を有する第１の通路を画定し、前記第２の区分が第２の直径を有する第２の通路を画定し、前記第１の直径は前記第２の直径とは異なる、請求項１に記載のシステム。
【請求項４】
前記第１の区分と第２の区分とを結合させるスリーブをさらに備える、請求項３に記載のシステム。
【請求項５】
前記スリーブは、近位部と、中間部と、遠位部とを有し、前記近位部が、前記第１の区分の一部分を受け入れるような大きさおよび形状をなし、前記遠位部が、前記第２の区分の一部分を受け入れるような大きさおよび形状をなし、前記中間部は、前記第１および第２の区分が前記中間部内に延在するのを防ぐ対向停止面を画定する、請求項４に記載のシステム。
【請求項６】
前記中間部は、前記第１の通路と接合する第１の開口と、前記第２の通路と接合する第２の開口とを有する円錐形の孔を画定し、前記第１の開口は前記第２の開口より大きい、請求項５に記載のシステム。
【請求項７】
前記空気圧手術器具は硝子体切除用プローブである、請求項１に記載のシステム。
【請求項８】
空気圧手術器具と、
圧縮ガスを与えるように動作可能な手術用コンソールと、
前記空気圧手術器具を前記手術用コンソールに結合させ、内部を通って延在する通路を有する可撓性空気圧駆動ラインであって、前記通路が前記圧縮ガスを前記空気圧手術器具に供給するような大きさおよび形状をなし、前記手術用コンソールから前記空気圧手術器具までの前記通路の直径が不均一である可撓性空気圧駆動ラインと、を備え、
前記手術用コンソールにおける前記可撓性空気圧駆動ラインの第１の端部が第１の外径及び第１の内径を有し、前記空気圧手術器具における前記可撓性空気圧駆動ラインの第２の端部が、前記第１の外径よりも小さい第２の外径と、前記第１の内径よりも小さい第２の内径とを有し、
前記第１の端部と前記第２の端部との間の前記通路の直径が前記手術用コンソールから前記空気圧手術器具にかけて連続的に減少し、前記可撓性空気圧駆動ラインの第２の端部は、該可撓性空気圧駆動ラインが前記手術用コンソールにおいてよりも前記空気圧手術器具においてより高い可撓性を有するように、減少した大きさ及び質量を有する、システム。
【請求項９】
前記通路は、実質的に一定の第１の直径を有する第１の区分と、実質的に一定の第２の直径を有する第２の区分とを含み、前記第１の直径が前記第２の直径とは異なる、請求項８に記載のシステム。
【請求項１０】
前記第１の区分を前記第２の区分に接続するスリーブをさらに備え、前記スリーブは、実質的に前記第１の直径を有するような、前記第１の区分と接合する第１の開口と、実質的に前記第２の直径を有するような、前記第２の区分と接合する第２の開口とを有する円錐形の孔を画定する、請求項９に記載のシステム。
【請求項１１】
前記空気圧駆動ラインは、各区分がある直径の孔を有し、各区分における各孔の各直径が異なるような、複数の区分を有する、請求項８に記載のシステム。
【請求項１２】
前記空気圧駆動ラインは、前記手術用コンソールから前記空気圧手術器具にかけて連続的にテーパー状をなす外面を有する、請求項８に記載のシステム。
【請求項１３】
前記空気圧駆動ラインは、前記空気圧駆動ラインの外径を画定する外面を有し、前記外径は、前記通路の直径が前記手術用コンソールから前記空気圧手術器具にかけて減少するとき、実質的に変化しないままである、請求項８に記載のシステム。
【請求項１４】
空気圧手術器具を駆動するよう動作可能な可撓性空気圧駆動ラインであって、圧縮ガスを前記空気圧手術器具に与えるように内部に延在する通路を含み、前記通路が前記空気圧駆動ラインの長さに沿った不均一な断面を有する、可撓性空気圧駆動ラインを備え、
手術用コンソールに接続された前記可撓性空気圧駆動ラインの第１の端部が第１の外径及び第１の内径を有し、前記空気圧手術器具における前記可撓性空気圧駆動ラインの第２の端部が、前記第１の外径よりも小さい第２の外径と、前記第１の内径よりも小さい第２の内径とを有し、
前記第１の端部と前記第２の端部との間の前記通路の直径が前記手術用コンソールから前記空気圧手術器具にかけて連続的に減少し、前記可撓性空気圧駆動ラインの第２の端部は、該可撓性空気圧駆動ラインが前記手術用コンソールにおいてよりも前記空気圧手術器具においてより高い可撓性を有するように、減少した大きさ及び質量を有する、システム。
【請求項１５】
前記空気圧手術器具と、
前記圧縮ガスを前記空気圧駆動ラインに与えるように動作可能な前記手術用コンソールと、をさらに備える、請求項１４に記載のシステム。
【請求項１６】
前記通路が、第１の直径を有する近位端と、第２の直径を有する遠位端とを有し、前記第１の直径は前記第２の直径より大きい、請求項１４に記載のシステム。
【請求項１７】
前記空気圧駆動ラインは内面を有し、該内面は、該内面が前記通路の前記近位端から前記通路の前記遠位端にかけて連続的にテーパー状をなすように前記通路を画定する、請求項１６に記載のシステム。
【請求項１８】
前記通路は、実質的に一定の第１の直径を有する第１の区分と、実質的に一定の第２の直径を有する第２の区分とを含み、前記第１の直径が前記第２の直径とは異なり、前記システムは、
前記第１の区分を前記第２の区分に接続するスリーブをさらに備え、前記スリーブは、実質的に前記第１の直径を有するような、前記第１の区分と接合する第１の開口と、実質的に前記第２の直径を有するような、前記第２の区分と接合する第２の開口とを有する円錐形の孔を画定する、請求項１４に記載のシステム。
【請求項１９】
前記通路は、各区分がある直径の孔を画定し、各区分における各孔の各直径が異なるような、複数の区分から形成される、請求項１４に記載のシステム。
【発明の詳細な説明】
【技術分野】
【０００１】
本開示は一般的に、不均一な内部断面を有し、たとえば硝子体切除手術などの外科手術において空気圧手術器具を駆動するのに用いられる空気圧駆動ラインに関する。
【背景技術】
【０００２】
硝子体切除手術は、目から血液とごみを取り除く、瘢痕組織を除去する、または網膜への牽引力を軽減するために行われる場合がある。血液、炎症細胞、ごみおよび瘢痕組織は、光が目を通過して網膜に達するにつれ光を遮ってしまう場合があり、視覚低下をもたらす。硝子体液もまた、網膜を正常な位置から引っ張るまたは強く引いている場合、除去され得る。硝子体切除術が必要となる最も一般的な目の状態としては、網膜剥離または網膜出血などの糖尿病性網膜症による合併症、黄斑円孔、網膜剥離、網膜前膜繊維症、眼内出血（硝子体出血）、損傷または感染、ならびに過去に受けた眼科手術に関わる何らかの問題が挙げられる。
【０００３】
硝子体切除術で、外科医は３つの別々の器具用に眼の中に３箇所小さな切開をする場合がある。これらの切開は眼の毛様体扁平部で行ってよく、毛様体扁平部は虹彩のちょうど後方だが網膜の前方に位置している。これらの切開を通過する器具は、光導体、注入口および硝子体切除用切断装置を含む場合がある。光導体は、眼内で用いられる微細高輝度フラッシュライトの等価物である。注入口は、眼内で流体を入れ替え、眼内圧を適切に保つのに用いることができる。硝子体切除用プローブまたは切断装置は、小型裁断機のような作動をして、振動微細カッターを制御して硝子体ゲルを除去させることができる。これによって、硝子体液除去中に網膜を非常に強く牽引することを防ぐことができる。
【０００４】
従来、硝子体切除用プローブは、硝子体切除手術および眼の後面に対するその他の外科手術を行うのに用いられる手術用機械に接続される。手術用機械は、装着された硝子体切除用プローブへ動力を供給し、硝子体切除プローブの操作を制御するものでよい。硝子体切除用プローブに空気圧動力を供給するために、手術用機械が空気圧または空気分配モジュールを有する場合がある。この空気圧モジュールは、プローブに動力を与えるために圧縮空気または圧縮ガスを調節、供給することができる。空気圧モジュールは、圧縮ガスを収容するシリンダに接続される場合がある。
【０００５】
通常、手術用機械は管状材料を介して硝子体切除用プローブに接続する。このような管状材料は従来、その長さに沿って一定の内径を有している。よって、加圧ガスが手術用機械から硝子体切除用プローブまで伝わるとき、管状材料内部の通路の大きさは変わらず同一である。この結果、管の自由度は長さ全体にわたって同一となる。また、内径が長さに沿って一定であるため、管状材料が空気圧性能について最適化されることがない。
【発明の概要】
【０００６】
１つの例示的な態様において、本開示はシステムに関する。本システムは、空気圧手術器具と、圧縮ガスを空気圧手術器具に与えるように動作可能な手術用コンソールとを含む。さらに、本システムは、空気圧手術器具を手術用コンソールに結合させる空気圧駆動ラインを含む。空気圧駆動ラインは、圧縮ガスを空気圧手術器具に供給するよう構成される内部孔を有する。内部孔は、空気圧駆動ラインの長さに沿った不均一な断面を有する。
【０００７】
１つの例示的な態様において、本開示はシステムに関する。本システムは、空気圧手術器具と、圧縮ガスの源とを含む。また、本システムは、空気圧手術器具を源に結合させる空気圧駆動ラインを有する。空気圧駆動ラインは、内部を通って延在し、圧縮ガスを空気圧手術器具に供給するような大きさおよび形状をなす通路を有する。圧縮ガスの源から空気圧手術器具までの通路の直径が不均一である。
【０００８】
１つの例示的な態様において、本開示はシステムに関する。本システムは、空気圧手術器具を駆動するよう動作可能な空気圧駆動ラインを含む。空気圧駆動ラインは、圧縮ガスを空気圧手術器具に与えるように内部に延在する通路を含む。通路は、空気圧駆動ラインの長さに沿った不均一な断面を有する。
【０００９】
本開示のこれらおよびその他の態様、形態、目的、特徴および効果は、以下の詳細な図面および説明から明らかになるであろう。
【００１０】
添付の図面は、明細書に取り込まれて明細書の一部を構成し、本開示の実施形態を図示するものである。上記の本開示の概略的な説明および以下の詳細な説明とともに、図面は本開示の実施形態を例示する役割を果たしている。
【図面の簡単な説明】
【００１１】
【図１】本開示の１つの態様にかかる硝子体切除術を含む様々な眼科手術を行うための例示的な手術用コンソールを示す図である。
【図２】本開示の１つの態様にかかる手術器具に動力を供給する空気圧システムの概略図である。
【図３】本開示の１つの態様にかかる図２の手術器具のプローブカッターを示す図である。
【図４】本開示の１つの態様にかかる図２に示される空気圧システムとともに使用可能な段階空気圧駆動ラインを示す図である。
【図５】本開示の１つの態様にかかる図４に示される段階空気圧駆動ラインを結合するスリーブの部分断面図である。
【図６】本開示の１つの態様にかかる図２に示される空気圧システムとともに使用可能な段階空気圧駆動ラインの代替実施形態の部分断面図である。
【図７】本開示の１つの態様にかかる図２に示される空気圧システムとともに使用可能な段階空気圧駆動ラインの代替実施形態の部分断面図である。
【図８】本開示の１つの態様にかかる図２に示される空気圧システムとともに使用可能なテーパー状の空気圧駆動ラインの部分断面図である。
【図９】本開示の１つの態様にかかる図２に示される空気圧システムとともに使用可能なテーパー状の空気圧駆動ラインの代替実施形態の部分断面図である。
【発明を実施するための形態】
【００１２】
本開示は一般的に、眼科手術の分野に関し、より詳細には、不均一な内部断面および／または直径を有し、たとえば硝子体切除手術などの外科手術において空気圧手術器具を駆動するのに用いられる空気圧駆動ラインに関する。本開示の原理をより理解するために、ここから図面に示される実施形態または例を参照し、これらの例を説明するのに特定の文言を用いる。しかしながら、これにより本開示の範囲を限定する意図はないことは理解されよう。開示に関連する分野の当業者であれば普通想定するように、記載の実施形態のいかなる変化およびさらなる変形、ならびに本明細書に記載する本開示の原理のさらなる応用も包含される。
【００１３】
図１は、さまざまな眼科外科手術を行うための例示的な手術用コンソール１００を示している。それに関して、手術用コンソール１００は、ユーザが硝子体切除手術を行うことを支援するために構成される。より詳細には、手術用コンソール１００は空気圧手術器具１０２を駆動するよう構成される。ここで、空気圧手術器具１０２は硝子体切除用プローブである。しかしながら、その他の実施形態では、空気圧手術器具１０２は、空気圧駆動ラインによって動力を提供されるその他任意の空気圧手術器具でもありうる。
【００１４】
図１に示すように、空気圧手術器具１０２は、空気圧駆動ライン１０４と１０６を介して手術用コンソール１００に結合される。ここで、手術用コンソール１００は、空気圧駆動ライン１０４と１０６を手術用コンソール１００に結合するよう設計されたポート１０８を有している。下でより詳細に検討するように、空気圧駆動ライン１０４と１０６は、空気圧手術器具１０２に動力を与える。つまり、手術用コンソール１００は、窒素などの圧縮ガスを空気圧駆動ライン１０４と１０６を介して与え、空気圧手術器具１０２を駆動および／または空気圧手術器具１０２に動力を供給する。図１は空気圧手術器具１０２に動力を提供する２つの別個の空気圧駆動ラインを示しているが、その他の実施形態では、単一の空気圧駆動ラインまたは３つ以上の空気圧駆動ラインが用いられている。よって、本明細書において、空気圧手術器具１０２に動力を提供するための空気圧駆動ラインの数はなんら限定されるものではない。
【００１５】
また、手術用コンソール１００は、流体モジュール１１０も有している。流体モジュール１１０は、外科手術中の洗浄および／または吸引機能を支援するよう構成される。言い換えると、図示しないが、空気圧手術器具１０２または手術用コンソール１００に接続されたその他任意の器具について、洗浄および／または吸引機能を支援するよう構成された追加の管状材料を介して、空気圧手術器具１０２を流体モジュール１１０に結合させることができる。
【００１６】
また、手術用コンソール１００は、ディスプレイ１１２を有している。ディスプレイ１１２は、コンソールのユーザに対して情報を表示するよう動作可能である。それに関して、ディスプレイ１１２は、空気圧手術器具１０２の操作に関連する視覚情報を与える。また、ディスプレイ１１２は、ユーザ入力を受けいれ、コンソール１００のユーザが行う操作を容易にするのを支援するタッチスクリーン型ディスプレイであってもよい。
【００１７】
図２を参照すると、空気圧手術器具１０２に動力を提供するための空気圧システム２００の概略図が示されている。図示の通り、手術用コンソール１００は、空気圧手術器具１０２に動力を与えるおよび／または空気圧手術器具１０２を駆動するのに用いられる窒素などの圧縮ガス源２０２を有している。空気圧システム２００はまた、コントローラ２０４を有している。コントローラ２０４は、源２０２と連通して、源２０２内で圧縮ガスの圧力を調節するよう構成されている。それに関して、コントローラ２０４は、ガス消費を減少させることが可能なより低い圧力と、空気圧手術器具１０２をより拘束に駆動させることが可能な（たとえば、空気圧手術器具１０２が利用可能な切断速度をより高速にすることが可能でありかつ／または切断速度のダイナミックレンジを拡大させるような）より高い圧力との間でバランスをとることにより、源２０２内の圧力を調節する。他の実施形態においては、源２０２内の圧力を手術用コンソール１００の外部にある別のコントローラによって調節する場合もある。
【００１８】
図２に示すように、空気圧システム２００は、空気圧弁２０６を有する。空気圧弁２０６は、源２０２およびチャネル２０８と２１０に結合される。また、空気圧弁２０６はコントローラ２０４と連通する。ここで、空気圧弁２０６は４方向弁である。しかし、空気圧弁２０６についてその他の弁構成も意図される。
【００１９】
空気弁２０６は、コントローラ２０４からの制御信号によって指示されるように、２つの位置のうちの１つの位置に弁２０６を移動させるよう動作するソレノイドを有している。空気弁２０６が第１の位置にあるとき、源２０２からの圧縮ガスが空気圧弁２０６を通過してチャネル２１０まで送られ、空気圧駆動ライン１０６を介して空気圧手術器具１０２に空気圧動力を与えることができ、一方、空気圧駆動ライン１０４からの圧縮ガスが、チャネル２０８を介してマフラー２１２から排出させられる。空気弁２０６が第２の位置にあるとき、源２０２からの圧縮ガスが空気圧弁２０６を通過してチャネル２０８まで送られ、空気圧駆動ライン１０４を介して空気圧手術器具１０２に空気圧動力を与えることができ、一方、空気圧駆動ライン１０６からの圧縮ガスが、チャネル２１０を介してマフラー２１２から排出させられる。
【００２０】
上述の通り、空気圧手術器具１０２は硝子体切除用プローブである。図２に示すように、空気圧手術器具１０２は、プローブカッター２１４と、ダイアフラム２１６によって分離された２つのチャンバを有している。それに関して、空気圧駆動ライン１０４が第１のチャンバ２１８と連通可能に結合し、空気圧駆動ライン１０６が第２のチャンバ２２０と連通可能に結合する。
【００２１】
したがって、空気圧弁２０６が第１の位置にあるとき、空気圧駆動ライン１０６を介して供給される圧縮ガスで満たされることによって空気圧手術器具１０２の第２のチャンバ２２０には圧縮ガスが充填され、一方、圧縮ガスが放出されることによって圧縮ガスが第１のチャンバ２１８から空気圧駆動ライン１０４に排出される。空気圧弁２０６が第２の位置にあるとき、空気圧駆動ライン１０４を介して供給される圧縮ガスで満たされることによって空気圧手術器具１０２の第１のチャンバ２１８には圧縮ガスが充填され、一方、圧縮ガスが放出されることによって圧縮ガスが第２のチャンバ２２０から空気圧駆動ライン１０６に排出される。以下でさらに詳細に説明するように、第１と第２の位置の間で空気圧弁２０６を切替ることによって、患者の眼の中の硝子体細胞を切断するようにダイアフラム２１６がプローブカッター２１４を振動または移動する。
【００２２】
図３を参照すると、空気圧手術器具１０２のプローブカッター２１４の図が示される。上で論じられるように、第１の位置と第２の位置との間の空気圧弁２０６の切り替えにより、ダイアフラム２１６がプローブカッター２１４を振動または移動させる。プローブカッター２１４によるこの移動または振動は、矢印Ａによって特定される。
【００２３】
プローブカッター２１４は、切断デバイスとして作用する。その点で、プローブカッター２１４は、鋭利にされた末端３０２を有し、部分的に外管３０４によって包囲される。また、外管３０４は、カッターポート３０６、または開口部を含む。プローブカッター２１４が矢印Ａによって特定されるように外管３０４内で前後に移動するため、プローブカッター２１４は、プローブカッター２１４の鋭利にされた末端３０２によりカッターポート３０４を交互に開放および閉鎖する。したがって、プローブカッター２１４の鋭利にされた末端３０２によるカッターポート３０４の開放および閉鎖により、硝子体切除術中に、患者の眼の中の硝子体等の、プローブカッターに隣接して配置された材料を切り開くことができる。
【００２４】
図４は、空気圧手術器具１０２を駆動するために空気圧システム２００とともに使用可能な、段階空気圧駆動ラインの部分断面図の図である。示されるように、手術用コンソール１００および空気圧手術器具１０２は、段階空気圧駆動ライン４０２および４０４に結合される。段階空気圧駆動ライン４０２および４０４は、システム２００において、それぞれ、空気圧駆動ライン１０４および１０６の代わりに使用される。したがって、空気圧駆動ライン１０４および１０６に関連する、本明細書における全ての説明は、別途定めのない限り、段階空気圧駆動ライン４０２および４０４に適用可能である。
【００２５】
段階空気圧駆動ライン４０２は、下に記載される。段階空気圧駆動ライン４０２に関して論じられる特徴は、段階空気圧駆動ライン４０４において存在し、それに均等に適用可能である。したがって、段階空気圧駆動ライン４０２および４０４に関して同様の特徴を特定するために、同様の参照数字が図４に使用されている。
【００２６】
また、図４は、空気圧手術器具１０２に動力を提供する２つの別個の段階空気圧駆動ライン４０２および４０４を示しているが、他の実施形態は、単一の段階空気圧駆動ラインまたは３つ以上の段階空気圧駆動ラインを用いる。よって、本明細書において、空気圧手術器具１０２に動力を提供するための段階空気圧駆動ラインの数は何ら限定されるものではない。
【００２７】
段階空気圧駆動ライン４０２は、第１の区分４０６および第２の区分４０８を有する。第１の区分４０６は、ポート１０８を介して手術用コンソール１００に結合される近位端４１０、およびスリーブ４１４または結合器を介して第２の区分４０６に結合される遠位端４１２を有する。さらに、第１の区分は、第１の区分４０６の近位端４１０から遠位端４１２へと延在する内部孔４１６、または通路を含む。
【００２８】
スリーブ４１４は、第１の区分４０６および第２の区分４０８を結合して示されるが、任意の他の手段を使用して、２つの区分を一緒に結合し得ることが企図される。例えば、他の実施形態において、区分の一方が、他方の区分中に滑り込み、それによって、スリーブ４１４を使用することなく区分を結合するように構成される。さらに、他の実施形態において、空気圧駆動ライン４０２は、段階構成で２つ以上の区分を有する、連続した駆動ラインとして製造される。かかる実施形態において、区分が、段階構成を有する連続した駆動ラインへと製造されているため、空気圧駆動ラインは、区分を結合するスリーブを必要としない。
【００２９】
示されるように、第１の区分４０６は、第１の区分４０６の近位端４１０から遠位端４１２へと実質的に一定の外径ＯＤ1を有する。例として、かつ限定を目的とせず、ＯＤ1は、約０．２５０インチであり得る。加えて、ＯＤ1は、約０．１５インチ〜約０．５インチの範囲であり得る。しかしながら、ＯＤ1について他の寸法が企図され、したがって限定を暗示するものは何ら、本明細書に記載されない。
【００３０】
さらに、第１の区分４０６の内部孔４１６は、第１の区分４０６の近位端４１０から遠位端４１２へと延在する、実質的に一定の内径ＩＤ1を有する。例として、かつ限定を目的とせず、ＩＤ1は、約０．１５０インチであり得る。加えて、ＩＤ1は、約０．１インチ〜約０．３インチの範囲であり得る。しかしながら、ＩＤ1について他の寸法が企図され、したがって限定を暗示するものは何ら、本明細書に記載されない。
【００３１】
第２の区分４０８は、スリーブ４１４を介して第１の区分４０６に結合される近位端４１８、および空気圧手術器具１０２に結合される遠位端４２０を有する。さらに、第２の区分４０８は、第２の区分４０８の近位端４１８から遠位端４２０へと延在する、内部孔４２２、または通路を含む。
【００３２】
示されるように、第２の区分４０８は、第２の区分４０８の近位端４１８から遠位端４２０へと実質的に一定の外径ＯＤ2を有する。例として、かつ限定を目的とせず、ＯＤ2は、約０．１２５インチであり得る。さらに、ＯＤ2は、約０．０５インチ〜約０．２０インチの範囲であり得る。しかしながら、ＯＤ2について他の寸法が企図され、したがって限定を暗示するものは何ら、本明細書に記載されない。
【００３３】
さらに、第２の区分４０８の内部孔４２２は、第２の区分４０８の近位端４１８から遠位端４２０へと延在する、実質的に一定の内径ＩＤ2を有する。例として、かつ限定を目的とせず、ＩＤ2は、約０．０６インチであり得る。さらに、ＩＤ2は、約０．０１インチ〜約０．１５０インチの範囲であり得る。しかしながら、ＩＤ2について他の寸法が企図され、したがって限定を暗示するものは何ら、本明細書に記載されない。
【００３４】
したがって、第２の区分４０８は、第１の区分４０６に対して「逓減」される。その点で、第１の区分４０６の外径ＯＤ1は、第２の区分４０８の外径ＯＤ2を超える。加えて、第１の区分４０６の内径ＩＤ1は、第２の区分４０８の内径ＩＤ2を超える。したがって、第２の区分４０８が第１の区分４０６から「逓減」されるため、段階空気圧駆動ライン４０２を通って延在する通路は、空気圧駆動ラインが手術用コンソール１００から空気圧手術器具１０２へと延在するときに、非均一の断面および／または直径を有する。
【００３５】
この段階構成に基づいて、段階空気圧駆動ライン４０２は、伝統的な空気圧駆動ライン管類を使用する他の空気圧器具と比較して、空気圧手術器具１０２の性能を増す。上に論じられるように、伝統的な空気圧駆動ライン管類は、管類の長さに沿って一定の内径を有する。よって、加圧ガスが手術用コンソールから手術用器具へと移行するときに、管類内の通路の大きさは、同じままである。
【００３６】
対照的に、段階空気圧駆動ライン４０２は、駆動ラインの長さに沿って非一定のまたは非均一の内径（または断面）を有する。非一定の内径の使用により、段階空気圧駆動ライン４０２が、その長さに沿ったその機能的必要性に基づいて最適化されることが可能となる。段階空気圧駆動ライン４０２は、空気圧手術器具１０２に結合されるその末端で閉鎖していると見なされ得、またコンソール１００に結合されるラインの末端から駆動されているため、段階空気圧駆動ライン４０２の駆動端は、より高いガス流要件を有する。よって、ガス流を最適化するために、段階空気圧駆動ライン４０２の駆動端は、閉鎖端よりも大きい直径を有するべきである。
【００３７】
ここで、第１の区分４０６は、区分４０８の内部孔４２２の内径ＩＤ2よりも大きい内部孔４１６の内径ＩＤ1を有する。したがって、内部孔４１６は、空気圧性能を最適化するために高流量の加圧ガスが最も重要であるところで、より大容量の加圧ガスがコンソール１００からライン中に受容されることを可能にする。
【００３８】
さらに、上に論じられるように、非一定の内径の使用により、段階空気圧駆動ライン４０２が、その長さに沿ったその機能的必要性に基づいて最適化されることが可能となる。その点で、伝統的な空気圧駆動ラインは、一定の直径を有するため、手術用器具に隣接する駆動ラインの部分は依然として、手術用コンソールによって駆動されている他方の末端で必要とされる、同じ大きい内径を有する。したがって、管類は、理想されるものよりも大きい大きさおよび質量を有し、結果として管類は、典型的に、手術用器具の近くで望ましいであろうほど可撓性ではない。
【００３９】
段階空気圧駆動ライン４０２は、この問題に対処する。上に論じられるように、段階空気圧駆動ライン４０２は、区分４０６の内径ＩＤ1および外径ＯＤ1よりも小さい内径ＩＤ2および外径ＯＤ2を有する、第２の区分４０８を含む。したがって、段階空気圧駆動ライン４０２は、高可撓性および低質量が空気圧手術器具１０２のユーザにとって最も重要であるところである、空気圧手術器具１０２に隣接して、より小さい駆動ライン（例えば、第２の区分４０８）を提供する。したがって、段階空気圧駆動ライン４０２管類は、空気圧性能を依然として最適化しながら、より大きい可撓性および低質量を提供するように構成される。
【００４０】
図５は、第１の区分４０６の遠位端４１２を第２の区分４０８の近位端４１８に結合する、スリーブ４１４の部分断面図を示す。示されるように、スリーブ４１４は、近位孔５０２、接続孔５０４、または中間孔、および遠位孔５０６を有する。近位孔５０２は、第１の区分４０６の遠位端４１２を受容するための大きさおよび形状にされる。
【００４１】
加えて、近位孔５０２は、部分的にスリーブ４１４の内面５０８によって画定される。その点で、内面５０８は、接続孔５０４に向かってテーパー状または傾斜状にされる。結果として、第１の区分４０６の遠位端４１２は、遠位端４１２に対して結合力を応用する、テーパー状の内面５０８による圧入または密封係合を介して、スリーブ４１４に結合される。
【００４２】
さらに、近位孔５０２は、停止部５１０を含む。停止部５１０は、遠位端４１２が接続孔５０４の中へと延在することを防止する。その点で、第１の区分４０６の遠位端４１２は、スリーブ４１４中に完全に挿入されるとき停止部５１０に当接する。よって、停止部５１０は、スリーブ４１４中への遠位端４１２の過度の挿入を防止する。
【００４３】
遠位孔５０６は、第２の区分４０８の近位端４１８を受容するための大きさおよび形状にされる。遠位孔５０６は、部分的にスリーブ４１４の内面５１６によって画定される。その点で、内面５１６は、接続孔５０４に向かってテーパー状または傾斜状にされる。結果として、第２の区分４０８の近位端４１８は、近位端４１８に対して結合力を応用する、テーパー状の内面による圧入または密封係合を介して、スリーブに結合される。
【００４４】
さらに、遠位孔５０６は、停止部５１８を含む。停止部５１８は、近位端４１８が接続孔５０４の中へと延在することを防止する。その点で、第２の区分４０８の近位端４１８は、スリーブ４１４中に完全に挿入されるとき停止部５１８に当接する。よって、停止部５１８は、スリーブ４１４中への近位端４１８の過度の挿入を防止する。
【００４５】
示されるように、接続孔５０４は、近位孔５０２と遠位孔５０６との間に位置付けられる。接続孔は、円錐形を有する。その点において、内面５２０は、接続孔５０４を画定し、遠位孔５０６に向かってテーパー状になる。したがって、近位孔５０２に隣接する接続孔５０４の開口部５１２は、遠位孔５０６に隣接する開口部５１４よりも大きい直径を有する。さらに、開口部５１２は、第１の区分４０６の内部孔４１６の内径ＩＤ1と実質的に類似の直径を有する。加えて、開口部５１４は、第２の区分４０８の内部孔４２２の内径ＩＤ2と実質的に類似の直径を有する。開口部５１２および５１４のサイジングならびに接続孔５０４の円錐形によって、第１の区分の内部孔４１６と第２の区分４０８の内部孔４２２との間に密封が形成され、加圧ガスが、そこを通して流れることができる。
【００４６】
図６は、空気圧システム２００とともに使用可能な段階空気圧駆動ライン６００の代替実施形態の部分断面図の一例である。示されるように、手術用コンソール１００および空気圧手術器具１０２は、段階空気圧駆動ライン６００に接続される。段階空気圧駆動ライン６００が、空気圧駆動ライン１０４または１０６の代わりにシステム２００において使用される。したがって、空気圧駆動ライン１０４および１０６に関する本明細書のすべての記載は、別途明記されない限り、段階空気圧駆動ライン６００に適用可能である。
【００４７】
また、図６は、空気圧手術器具１０２に動力供給する単一の段階空気圧駆動ラインを示すが、他の実施形態は、１つを超える段階空気圧駆動ライン６００を利用する。このため、空気圧手術器具１０２に動力供給するための制限されない数の段階空気圧駆動ライン６００が、本明細書に暗示される。
【００４８】
段階空気圧駆動ライン６００は、段階空気圧駆動ライン４０２と実質的に類似である。しかしながら、段階空気圧駆動ライン６００は、各隣接する区分がスリーブ４１４によってそれぞれ接続される場合、２つを超える区分を有する。ここで、区分は、Ｓ1からＳnの区分によって確立される（ｎは、共に接続される区分の累積数を表す）。このため、段階空気圧駆動ライン６００は、任意の数の区分から成ることができる。
【００４９】
その点において、手術用コンソール１００に隣接する区分Ｓ1は、段階空気圧駆動ライン６００中の任意の他の区分と比べて、最大の内径ＩＤS1を有する内部孔を有する。言い換えると、区分Ｓ1から次の区分へ動くにつれて、隣接する区分（例えば、Ｓ2）の孔の内径（例えば、ＩＤS2）は、前の区分（例えば、Ｓ1）等の内径（ＩＤS1）よりも小さい。このため、空気圧駆動ライン６００を通して延在する内部通路６０２は、端部隣接コンソール１００から端部隣接空気圧手術器具１０２へ縮径し、「段階」、「隆起（ｂｕｍｐｅｄ）」、および／または「隆起管」駆動ラインをもたらす。
【００５０】
したがって、空気圧駆動ライン６００が、通路６０２に沿って一定ではない内径を有するため、段階空気圧駆動ラインは、その長さに沿う機能的必要性に基づいて最適化される。その点において、空気圧駆動ライン６００は、空気圧手術器具１０２に隣接する駆動ラインの内径の大きさと比較して、より大きい容量の加圧ガスがコンソール１００からライン中に受容されることを可能にする。このため、空気圧駆動ライン６００は、高流量の加圧ガスが、空気圧性能を最適化するために最も重要である場合、より大きい容量の加圧ガスがコンソール１００からライン中に受容されることを可能にする。
【００５１】
さらに、段階空気圧駆動ライン６００は、空気圧手術器具１０２のユーザにとって高柔軟性および低質量が最も重要である場合、空気圧手術器具１０２に隣接するより小さい駆動ライン（例えば、区分Ｓn）を提供する。図６に示されるように、区分Ｓ1から次の区分へ動くにつれて、隣接する区分（例えば、Ｓ2）の孔の内径（例えば、ＩＤS2）は、前の区分（例えば、Ｓ1）等の内径（例えば、ＩＤS1）よりも小さい。加えて、区分Ｓ1から次の区分へ動くにつれて、隣接する区分（例えば、Ｓ2）の外径（例えば、ＯＤS2）は、前の区分（例えば、Ｓ1）等の外径（例えば、ＯＤS1）よりも小さい。このため、段階空気圧駆動ライン６００は、空気圧手術器具１０２のユーザにとって高柔軟性および低質量が最も重要である場合空気圧手術器具１０２に隣接するより小さい駆動ライン（例えば、Ｓn）を提供する。したがって、段階空気圧駆動ライン６００は、従来の空気圧駆動ラインと比較して、空気圧性能を最適化しながら、より高い柔軟性および低質量を提供するように構成される。
【００５２】
図７は、空気圧システム２００とともに使用可能な段階空気圧駆動ラインの代替実施形態の部分断面図の一例である。示されるように、手術用コンソール１００および空気圧手術器具１０２は、段階空気圧駆動ライン７０２および７０４に接続される。段階空気圧駆動ライン７０２および７０４が、それぞれ、空気圧駆動ライン１０４および１０６の代わりにシステム２００において使用される。したがって、空気圧駆動ライン１０４および１０６に関する本明細書のすべての説明は、別途明記されない限り、段階空気圧駆動ライン７０２および７０４に適用可能である。
【００５３】
段階空気圧駆動ライン７０２が、以下に説明される。段階空気圧駆動ライン７０２に関して考察される特徴は、段階空気圧駆動ライン７０４に存在し、および同様に段階空気圧駆動ライン７０４に適用可能である。したがって、類似の符号が、段階空気圧駆動ライン７０２および７０４に関する類似の特徴を識別するために図７で使用された。
【００５４】
また、図７は、空気圧手術器具１０２に動力供給する２つの別々の段階空気圧駆動ライン７０２および７０４を示すが、他の実施形態は、単一の段階空気圧駆動ラインか、または２つを超える段階空気圧駆動ラインを利用する。このため、空気圧手術器具１０２に動力供給するための制限されない数の段階空気圧駆動ラインが、本明細書に暗に含まれる。
【００５５】
段階空気圧駆動ライン７０２は、ポート１０８を介して手術用コンソール１００に接続される近位端７０６および空気圧手術器具１０２に接続される遠位端７０８を有する。また、段階空気圧駆動ライン７０２は、近位端７０６から遠位端７０８に延在する内部孔７１０または通路を有する。示されるように、段階空気圧駆動ライン７０２を通して延在する内部孔７１０は、端部隣接コンソール１００から端部隣接空気圧手術器具１０２へ縮径する。
【００５６】
より具体的には、図７に示されるように、内部孔７１０は、手術用コンソール１００に隣接する内径ＩＤ1および空気圧手術器具１０２に隣接する内径ＩＤ2を有する。内径ＩＤ1は、内径ＩＤ2よりも大きい。したがって、内部孔７１０は、手術用コンソール１００に隣接する最大の内径ＩＤ1、および空気圧手術器具１０２に隣接する最小の内径ＩＤ2を有する。
【００５７】
例として、および制限としてではなく、ＩＤ1は、約０．１５０インチであり得る。さらに、ＩＤ1は、約０．１インチ〜約０．３インチの範囲であり得る。加えて、例として、および制限としてではなく、ＩＤ2は、約０．０６インチであり得る。さらに、ＩＤ2は、約０．０１インチ〜約０．１５０インチの範囲であり得る。しかしながら、ＩＤ1およびＩＤ2の他の寸法が考えられ、それにより、暗黙の制限は本明細書に示されない。
【００５８】
したがって、内部孔７１０は、コンソール１００から空気圧手術器具１０２に向かって「段階的に」小さくなる。加えて、この実施形態において、空気圧駆動ライン７０２の外径は、駆動ラインの近位端７０６から遠位端７０８へ実質的に一定のままである。
【００５９】
内部孔７０６のこの段階的構造に基づいて、段階空気圧駆動ライン７０２は、従来の空気圧駆動ライン管を使用する他の空気圧器具と比較して、空気圧手術器具１０２の性能を増す。その点において、空気圧駆動ライン７０２は、空気圧手術器具１０２に隣接する駆動ラインの内径の大きさと比較して、より大きい容量の加圧ガスがコンソール１００からライン中に受容されることを可能にする。このため、段階空気圧駆動ライン７０２は、高流量の加圧ガスが、空気圧性能を最適化するために最も重要である場合、より大きい容量の加圧ガスがコンソール１００からライン中に受容されることを可能にする。
【００６０】
図７は、直径の単一のステップダウン（例えば、ＩＤ1からＩＤ2へ）を有する内部孔７１０を示すが、他の実施形態において、内部孔７０２は、１つを超えるステップダウンを有すると考えられる。例えば、内部孔７１０は、段階的減少効果を産む３つ以上の異なる内径を有し得る。そのような実施形態において、手術用コンソール１００に隣接する孔７１０の部分は、最大の内径を有することになり、孔７１０の各後続のステップダウンは、より小さい内径を有することになる。このため、そのような一代替実施形態において、段階空気圧駆動ライン７０２を通して延在する内部孔７１０は、端部隣接コンソール１００から端部隣接空気圧手術器具１０２へ縮径し、「段階」、「隆起」、および／または「隆起管」駆動ラインをもたらす。
【００６１】
図８は、空気圧システム２００とともに使用可能なテーパー状の空気圧駆動ラインの部分断面図の一例である。示されるように、手術用コンソール１００および空気圧手術器具１０２は、テーパー状の空気圧駆動ライン８０２および８０４に接続される。テーパー状の空気圧駆動ライン８０２および８０４が、それぞれ、空気圧駆動ライン１０４および１０６の代わりに、システム２００において使用される。したがって、空気圧駆動ライン１０４および１０６に関する本明細書のすべての説明は、別途明記されない限り、テーパー状の空気圧駆動ライン８０２および８０４に適用可能である。
【００６２】
テーパー状の空気圧駆動ライン８０２が、以下に説明される。テーパー状の空気圧駆動ライン８０２に関して考察される特徴は、テーパー状の空気圧駆動ライン８０４に存在し、および同様にテーパー状の空気圧駆動ライン８０４に適用可能である。したがって、類似の符号が、テーパー状の空気圧駆動ライン８０２および８０４に関する類似の特徴を識別するために図８で使用された。
【００６３】
また、図８は、空気圧手術器具１０２に動力供給する２つの別々のテーパー状の空気圧駆動ライン８０２および８０４を示すが、他の実施形態は、単一のテーパー状の空気圧駆動ラインか、または２つを超えるテーパー状の空気圧駆動ラインを利用する。このため、空気圧手術器具１０２に動力供給するための制限されない数のテーパー状の空気圧駆動ラインが、本明細書に暗に含まれる。
【００６４】
テーパー状の空気圧駆動ライン８０２は、ポート１０８を介して手術用コンソール１００に接続される近位端８０６および空気圧手術器具１０２に接続される遠位端８０８を有する。また、テーパー状の空気圧駆動ライン８０２は、近位端８０６から遠位端８０８へ延在する内部孔８１０または通路を有する。示されるように、テーパー状の空気圧駆動ライン８０２を通して延在する内部孔８１０は、端部隣接コンソール１００から端部隣接空気圧手術器具１０２へ縮径する。
【００６５】
より具体的には、図８に示されるように、テーパー状の空気圧駆動ライン８０２は、手術用コンソール１００から空気圧手術器具１０２まで連続的にテーパー状をなす。言い換えると、空気圧駆動ライン８０２の外面８１２および孔８１０を画定する内面８１４は両方ともに、テーパー状の空気圧駆動ライン８０２の近位端８０６から遠位端８０８まで連続的にテーパー状をなす。
【００６６】
したがって、内部孔８１０は、手術用コンソール１００付近で最大内径ＩＤ1を有し、空気圧手術器具１０２付近で最小内径ＩＤ2を有する。一例であって、限定するものではなく、ＩＤ1は、約０．１５０インチであり得る。さらに、ＩＤ1は、約０．１インチ〜約０．３インチの範囲であり得る。さらに、一例であって、限定するものではなく、ＩＤ2は、約０．０６インチであり得る。さらに、ＩＤ2は、約０．０１インチ〜約０．１５０インチの範囲であり得る。しかしながら、ＩＤ1およびＩＤ2の他の寸法が企図され、したがって、暗示の制限は本明細書では説明されない。
【００６７】
さらに、テーパー状の空気圧駆動ライン８０２は、手術用コンソール１００付近で最大外径ＯＤ1を有し、空気圧手術器具１０２付近で最小外径ＯＤ2を有する。一例であって、限定するものではなく、ＯＤ1は、約０．２５０インチであり得る。さらに、ＯＤ1は、約０．１５インチ〜約０．５インチの範囲であり得る。さらに、一例であって、限定するものではなく、ＯＤ2は、約０．１２５インチであり得る。さらに、ＯＤ2は、約．０５インチ〜約０．２０インチの範囲であり得る。しかしながら、ＯＤ1およびＯＤ2の他の寸法が企図され、したがって、暗示の制限は本明細書では説明されない。
【００６８】
したがって、テーパー状の空気圧駆動ライン８０２が孔８１０に沿って一定ではない内径を有するため、テーパー状の空気圧駆動ラインは、その長さに沿ってその機能的ニーズに基づいて最適化される。その点において、テーパー状の空気圧駆動ライン８０２は、空気圧手術器具１０２付近の駆動ラインの内径の大きさと比較して、より大量の加圧ガスがコンソール１００からライン内に受容されるのを可能にする。したがって、テーパー状の空気圧駆動ライン８０２は、空気圧の性能を最適化するために大流量の加圧ガスが最も重要である場合、より大量の加圧ガスがコンソール１００からライン内に受容されるのを可能にする。さらに、外面８１２がテーパー状であるため、テーパー状の空気圧駆動ライン８０２は、空気圧手術器具１０２の使用者にとって高可撓性および低質量が最も重要である場合、空気圧手術器具１０２付近でより小さい駆動ラインを提供する。したがって、テーパー状の空気圧駆動ライン８０２は、従来の空気圧駆動ラインと比較して、より高い可撓性および低質量を提供すると同時に、依然として空気圧の性能を最適化するように構成される。
【００６９】
図９は、空気圧システム２００とともに使用可能なテーパー状の空気圧駆動ラインの代替実施形態の部分断面図の説明図である。示されるように、手術用コンソール１００および空気圧手術器具１０２は、テーパー状の空気圧駆動ライン９０２および９０４に結合される。テーパー状の空気圧駆動ライン９０２および９０４は、それぞれ、空気圧駆動ライン１０４および１０６の代わりにシステム２００において使用される。したがって、空気圧駆動ライン１０４および１０６に関する本明細書のすべての説明は、別途述べられない限り、テーパー状の空気圧駆動ライン９０２および９０４に適用可能である。
【００７０】
テーパー状の空気圧駆動ライン９０２は、以下で説明される。テーパー状の空気圧駆動ライン９０２について論じられる特徴は、テーパー状の空気圧駆動ライン９０４に存在し、それに同等に適用可能である。したがって、テーパー状の空気圧駆動ライン９０２および９０４についての同様の特徴を特定するために、同様の参照番号が図９で使用されている。
【００７１】
さらに、図９が空気圧手術器具１０２に電力供給する２つの別個のテーパー状の空気圧駆動ライン９０２および９０４を示しているが、他の実施形態は、単一のテーパー状の空気圧駆動ラインまたは２つより多いテーパー状の空気圧駆動ラインを利用する。したがって、空気圧手術器具１０２に電力供給するためのテーパー状の空気圧駆動ラインの数の制限は、本明細書に暗示されていない。
【００７２】
テーパー状の空気圧駆動ライン９０２は、ポート１０８を介して手術用コンソール１００に結合される近位端９０６および空気圧手術器具１０２に結合される遠位端９０８を有する。同様に、テーパー状の空気圧駆動ライン９０２は、近位端９０６から遠位端９０８まで延在する内部孔９１０、または通路を有する。示されるように、空気圧駆動ライン９０２を通って延在する内部孔９１０のコンソール１００付近の末端部から空気圧手術器具１０２付近の末端部までの直径が減少する。
【００７３】
より具体的には、図９に示されるように、内部孔９１０は、手術用コンソール１００から空気圧手術器具１０２まで連続的にテーパー状をなす。言い換えると、空気圧駆動ライン９０２は、テーパー状の空気圧駆動ライン９０２の近位端９０６から遠位端９０８まで連続的にテーパー状をなす孔９１０を画定する内面９１２を有する。
【００７４】
したがって、内部孔９１０は、手術用コンソール１００付近で最大内径ＩＤ1を有し、空気圧手術器具１０２付近で最小内径ＩＤ2を有する。一例であって、限定するものではなく、ＩＤ1は、約０．１５０インチであり得る。さらに、ＩＤ1は、約．１インチ〜約０．３インチの範囲であり得る。さらに、一例であって、限定するものではなく、ＩＤ2は、約０．０６インチであり得る。さらに、ＩＤ2は、約０．０１インチ〜約０．１５０インチの範囲であり得る。しかしながら、ＩＤ1およびＩＤ2の他の寸法が企図され、したがって、暗示の制限は本明細書では説明されない。
【００７５】
したがって、内部孔９１０は、コンソール１００から空気圧手術器具１０２に向かって連続的に「テーパー状」をなす。しかしながら、図８に示される実施形態とは違って、テーパー状の空気圧駆動ライン９０２の外径は、駆動ライン近位端９０６から遠位端９０８まで実質的に一定のままである。
【００７６】
内部孔９１０のこのテーパー状の構成に基づいて、テーパー状の空気圧駆動ライン９０２は、従来の空気圧駆動ライン管を用いた他の空気圧器具と比較して、空気圧手術器具１０２の性能を高める。その点において、空気圧駆動ライン９０２は、空気圧手術器具１０２付近の駆動ラインの内径の大きさと比較して、より大量の加圧ガスがコンソール１００からライン内に受容されるのを可能にする。したがって、空気圧駆動ライン９０２は、空気圧の性能を最適化するために大流量の加圧ガスが最も重要である場合、より大量の加圧ガスがコンソール１００からライン内に受容されるのを可能にする。
【００７７】
さらに、本明細書に開示の空気圧駆動ラインが、それらの長さを調整することによってさらに最適化され得ることに留意されたい。上述のように、本明細書に開示の空気圧駆動ラインは、プローブカッター２１４等のプローブカッターを有する手術用器具とともに使用され得る。多くの場合、切断プローブの規定の切断速度を達成するのが望ましい。その点において、空気圧駆動ラインの長さは、手術用器具の切断速度に影響を与える。具体的には、空気圧駆動ラインの共鳴効果は、駆動ラインの長さが変化するにつれてに変化し、次いで、手術用器具の切断速度に影響を与える。したがって、駆動ラインの長さと所望の切断速度を達成するラインの能力との間に相関関係が存在する。したがって、本明細書に開示の空気圧駆動ラインは、所望の切断速度を達成する規定の長さを有することによってさらに最適化され得る。
【００７８】
さらに、空気圧駆動ラインの特定の配置が本明細書において説明されているが、制限は暗示されない。したがって、本明細書に記載の空気圧駆動ラインの任意の組み合わせをともにおよび／または別々に用いて、手術用器具に電力供給することができる。さらに、手術用器具が段階的空気圧駆動ラインおよび／またはテーパー状の空気圧駆動ラインの組み合わせを用いて電力供給され得ることが企図される。例えば、空気圧手術器具は、上述の段階的空気圧駆動ラインのうちの１つ以上を単独で、または上述のテーパー状の空気圧駆動ラインのうちの１つ以上と組み合わせて用いて電力供給され得る。
【００７９】
さらに、空気圧手術器具が上述の段階的空気圧駆動ラインの任意の組み合わせを用いて電力供給され得ることが企図される。例えば、上述の段階的空気圧駆動ラインは、空気圧手術器具に電力供給する様式で組み合わせられ得る。したがって、段階的空気圧駆動ラインについての上述の説明に基づく制限は暗示されない。
【００８０】
さらに、空気圧手術器具が上述のテーパー状の空気圧駆動ラインの任意の組み合わせを用いて電力供給され得ることが企図される。例えば、上述のテーパー状の空気圧駆動ラインは、空気圧手術器具に電力供給する様式で組み合わせられ得る。したがって、テーパー状の空気圧駆動ラインについての上述の説明に基づく制限は暗示されない。
【００８１】
本開示が上述の実施形態の説明によって図解され、かつ実施形態がある程度詳しく説明されているが、本開示の範囲をそのような詳細に制限することも、何らかの形で限定することも本出願人が意図することではない。さらなる利点および修正は、当業者に容易に明らかになる。したがって、本開示は、そのより広い側面において、特定の詳細、代表的な装置および方法、ならびに図示および説明される実例に限定されない。したがって、本出願人の一般概念または発明概念の精神または範囲から逸脱することなく、そのような詳細から逸脱することができる。
【図１】
0005964984.tif 000002
【図２】
0005964984.tif 000003
【図３】
0005964984.tif 000004
【図４】
0005964984.tif 000005
【図５】
0005964984.tif 000006
【図６】
0005964984.tif 000007
【図７】
0005964984.tif 000008
【図８】
0005964984.tif 000009
【図９】
0005964984.tif 000010